(57)【要約】      （修正有）【課題】紐の長さを好みの長さに調節して使用できる携帯ストラップを提供する。【解決手段】紐５を二本である折り合わせ形態にして、携帯品１の紐通し取付け孔に通し抜けさせて、抜けた部位を広げて潜らせループを形成し、この潜らせループに第１の結び目収納止め孔付き物品１０および第２の結び目収納止め孔付き物品１５にあるいはいずれか一方を潜らせ、紐５を引いて潜らせループを締めて携帯品への紐５取り付け状態にとし、第１の外出し紐部位１６に第１の結び目収納止め孔付き物品１０側の紐５が好みの長さとなる位置に第1の結び目を形成し余った紐部位を切り除き、第２の外出し紐部位１７に第２の結び目収納止め孔付き物品１５紐５が好みの長さとなる位置に第２の結び目を形成して余った紐部位を切り除き、第1の結び目を第1の結び目収納孔に引き入れ収納隠し、第２の結び目を第２の結び目収納孔に引き入れ収納する。【選択図】図１
2014050613.tif 000002
【特許請求の範囲】
【請求項１】
携帯品の紐通し取付け孔に、二本である折り合わせ形態で通し抜けさせて、抜けた部位を広げて潜らせループを形成できる太さの非ループで一本形態の紐と、
第1の結び目収納止め孔付き物品本体、この第1の結び目収納止め孔付き物品本体に設けられた前記紐の一方の側に形成した第1の結び目が収納される第1の結び目収納孔、前記第1の結び目収納止め孔付き物品本体に設けられた前記第1の結び目収納孔に連絡された前記紐は通るが前記第1の結び目は通らない第1の結び目止め孔とからなる第1の結び目収納止め孔付き物品と、
第２の結び目収納止め孔付き物品本体、この第２の結び目収納止め孔付き物品本体に設けられた前記紐の他方の側に形成した第２の結び目が収納される第２の結び目収納孔、前記第２の結び目収納止め孔付き物品本体に設けられた前記第２の結び目収納孔に連絡された前記紐は通るが前記第２の結び目は通らない第２の結び目止め孔とからなる第２の結び目収納止め孔付き物品と、
前記紐の一方の側が前記第1の結び目止め孔から前記第1の結び目収納孔に通されて該第1の結び目収納孔の外に出されてなる第１の外出し紐部位と、
前記紐の他方の側が前記第２の結び目止め孔から前記第２の結び目収納孔に通されて該第２の結び目収納孔の外に出されてなる第２の外出し紐部位とからなるとともに、
前記第１の外出し紐部位で前記第1の結び目を好みの位置に形成して前記第１の結び目収納孔に引き込み収納し、前記第２の外出し紐部位で前記第２の結び目を好みの位置に形成して前記第２の結び目収納孔に引き込み収納し、前記第１の結び目収納止め孔付き物品と前記第２の結び目収納止め孔付き物品を繋ぐ前記紐の長さを好みの長さにできることを可能とした携帯ストラップ。
【請求項２】
第１の外出し紐部位に第１の仮結び目を形成し、この第１の仮結び目から外に延びた部位で該第1の仮結び目が第１の結び収納孔に引き込まれても第1の結び目収納止め孔付き物品の外に出て、指で摘み掴めるはみ出し紐となる第１のはみ出し紐部位を形成し、
第２の外出し紐部位に第２の仮結び目を形成し、この第２の仮結び目から外に延びた部位で該第２の仮結び目が第２の結び収納孔に引き込まれても第２の結び目収納止め孔付き物品の外に出て、指で摘み掴めるはみ出し紐となる第２のはみ出し紐部位を形成してなることを特徴とする請求項１記載の携帯ストラップ。
【請求項３】
紐の他方の側に第２の結び目が形成され、この第２の結び目および第２の結び目から出た端くれ部位がある場合は該端くれ部位を含めて、その全部が第２の結び目収納孔に収納されてなり、あるいは外に出されているが全部収納の可能とされてなることを特徴とする請求項１記載の携帯ストラップ。
【請求項４】
第１の外出し紐部位と第２の外出し紐部位の端方が結び繋がれて提供されることを特徴とする請求項１記載の携帯ストラップ。
【請求項５】
第１の結び目収納止め孔付き物品に変えて、紐の一方の側に第１の結び目収納孔および第１の結び目止め孔を有さない、潜らせループを潜る第１の結び目収納止め孔付き物品よりも小さく軽い固定物品が設けられてなることを特徴とする請求項１記載の携帯ストラップ。
【請求項６】
第２の外出し紐部位に第２の仮結び目を形成し、この第２の仮結び目から外に延びた部位で該第２の仮結び目が第２の結び収納孔に引き込まれても第２の結び目収納止め孔付き物品の外に出て、指で摘み掴めるはみ出し紐となる第２のはみ出し紐部位を形成してなることを特徴とする請求項５記載の携帯ストラップ。
【請求項７】
第２の結び目収納止め孔付き物品が設けられず、固定物品と紐からなり、かつ、前記紐は結び目を設けない他方の側が解放されたストレート形態とされ、添付された、複数から選択できるあるいは手持ちの第２の結び目収納止め孔付き物品の、第２の結び目止め孔から前記紐の前記他方の側を入れ第２の結び収納孔から外に出して外出し紐部位を形成し、この外出し紐部位に好みの紐長さとする第２の結び目を形成し、外に延びた余分な部位を切り除いて、前記第２の結び目を前記第２の結び収納孔に引き入れ収納することによって、前記固定物品、前記紐および前記第２の結び目収納止め孔付き物品を連結可能ないし繋ぎ可能とした請求項５記載の携帯ストラップ。
【請求項８】
第２の結び目収納止め孔付き物品が紐に設けられず、前記紐の他方の側が解放されたストレート形態とされ、
前記紐の一方の側に第１の結び目が形成され、この第１の結び目およびその端くれ部分の全部が第1の結び目収納孔に収納され、
添付された、複数から選択できるあるいは手持ちの第２の結び目収納止め孔付き物品の、第２の結び目止め孔から前記紐の前記他方の側を入れ第２の結び収納孔から外に出して外出し紐部位を形成し、この外出し紐部位に好みの紐長さとする第２の結び目を形成し、外に延びた余分な部位を切り除いて、前記第２の結び目を前記第２の結び収納孔に引き入れ収納することによって、第1の結び目収納止め孔付き物品、前記紐および前記第２の結び目収納止め孔付き物品を連結可能ないし繋ぎ可能とした請求項１記載の携帯ストラップ。
【請求項９】
第1の結び目収納止め孔付き物品と、第２の結び目収納止め孔付き物品と、紐とが連結ないし繋がれない分離された状態で包装容器に収納され、前記包装容器から前記第1の結び目収納止め孔付き物品、前記第２の結び目収納止め孔付き物品および前記紐を取り出して、
前記第１の結び目収納止め孔付き物品の、第１の結び目止め孔から前記紐の前記一方の側を入れ第１の結び収納孔から外に出して第１の外出し紐部位を形成し、この第１の外出し紐部位に好みの紐長さとする第１の結び目を形成し、外に延びた余分な部位を切り除いて、前記第１の結び目を前記第１の結び収納孔に引き入れ収納し、
前記第２の結び目収納止め孔付き物品の、第２の結び目止め孔から前記紐の前記他方の側を入れ第２の結び収納孔から外に出して第２の外出し紐部位を形成し、この第２の外出し紐部位に好みの紐長さとする第２の結び目を形成し、外に延びた余分な部位を切り除いて、前記第２の結び目を前記第２の結び収納孔に引き入れ収納して、前記第１の結び目収納止め孔付き物品と前記第２の結び目収納止め孔付き物品を、好みの長さに調節した前記紐で連結ないし繋ぐことを可能としたことを特徴とする請求項１記載の携帯ストラップ。
【請求項１０】
多数のカプセル形態包装容器を収納する収納ケース、この収納ケース内の前記カプセル形態包装容器の一個を外に取り出すための取り出し口ないし外に吐き出すための吐き出し口、前記収納ケース内の前記カプセル形態包装容器の一個を、ボタンやレバーを摘みを回す、ボタンを押す、カードを該カードを検知する検知手段にかざす、ボタンを押し込むあるいはボタンを引っ張るなどの操作によって、前記取り出し口ないし吐き出し口に出すための取り出し操作手段とからなる自動販売装置ないし景品取り出し装置の前記カプセル形態包装容器に、携帯ストラップが収納された形態で提供されることを特徴とする請求項１〜９のいずれか１項に記載の携帯ストラップ。
【発明の詳細な説明】
【技術分野】
【０００１】
本発明は、携帯電話、携帯カメラ、財布、バックなどの携帯品に取り付けられる、紐の長さを好みの長さに調節して使用できる携帯ストラップに関する。
【背景技術】
【０００２】
従来の携帯ストラップとして、一本の紐の両端に飾り（物品）ないしエンドストッパー（物品）を設けてなる携帯ストラップが知られている。（例えば、特許文献１、特許文献２）
【先行技術文献】
【特許文献】
【０００３】
【特許文献１】特許第４８１９９７４号公報
【特許文献２】特許第４７３３２２０号公報
【非特許文献】
【０００４】
【非特許文献１】特になし
【発明の概要】
【発明が解決しようとする課題】
【０００５】
上述した従来技術は、一本の紐の長さが既に決められた長さで取り付けられているために、紐の長さを調節して好みの紐長さにできないという欠点があった。
また、紐に他の物品（飾り）を加えることや変えることが容易にはできない、それを行うには金属製の環部材とそれを変形させるペンチなどの特別な道具が必要になるものであった。
【０００６】
本発明は以上のような従来技術の欠点に鑑み、容易に紐の長さを好みの長さに調節して使用できる携帯ストラップを提供することを目的としている。
また、上記目的とともに、他の物品も爪切り・鋏などの切り取り道具だけで簡単・素早く・容易に付け加えることや変えることが可能な携帯ストラップを提供することを目的としている。
【課題を解決するための手段】
【０００７】
上記目的を達成するために、本発明は次に述べるような構成としている。
＜請求項１記載の発明＞
携帯品の紐通し取付け孔に、二本である折り合わせ形態で通し抜けさせて、抜けた部位を広げて潜らせループを形成できる太さの非ループで一本形態の紐と、
第1の結び目収納止め孔付き物品本体、この第1の結び目収納止め孔付き物品本体に設けられた前記紐の一方の側に形成した第1の結び目が収納される第1の結び目収納孔、前記第1の結び目収納止め孔付き物品本体に設けられた前記第1の結び目収納孔に連絡された前記紐は通るが前記第1の結び目は通らない第1の結び目止め孔とからなる第1の結び目収納止め孔付き物品と、
第２の結び目収納止め孔付き物品本体、この第２の結び目収納止め孔付き物品本体に設けられた前記紐の他方の側に形成した第２の結び目が収納される第２の結び目収納孔、前記第２の結び目収納止め孔付き物品本体に設けられた前記第２の結び目収納孔に連絡された前記紐は通るが前記第２の結び目は通らない第２の結び目止め孔とからなる第２の結び目収納止め孔付き物品と、
前記紐の一方の側が前記第1の結び目止め孔から前記第1の結び目収納孔に通されて該第1の結び目収納孔の外に出されてなる第１の外出し紐部位と、
前記紐の他方の側が前記第２の結び目止め孔から前記第２の結び目収納孔に通されて該第２の結び目収納孔の外に出されてなる第２の外出し紐部位とからなるとともに、
前記第１の外出し紐部位で前記第1の結び目を好みの位置に形成して前記第１の結び目収納孔に引き込み収納し、前記第２の外出し紐部位で前記第２の結び目を好みの位置に形成して前記第２の結び目収納孔に引き込み収納し、前記第１の結び目収納止め孔付き物品と前記第２の結び目収納止め孔付き物品を繋ぐ前記紐の長さを好みの長さにできることを可能とした携帯ストラップである。
「携帯品」とは、携帯電話、携帯カメラ、それらの携帯ケース、ファスナ引き金具（紐通し孔が在るものが多い）を有する財布、ファスナ引き金具を有するバック、これら携帯品に設けられた紐通し孔として利用できる環部材を設けてあるものなどを言う。
＜請求項２記載の発明＞
第１の外出し紐部位に第１の仮結び目を形成し、この第１の仮結び目から外に延びた部位で該第1の仮結び目が第１の結び収納孔に引き込まれても第1の結び目収納止め孔付き物品の外に出て、指で摘み掴めるはみ出し紐となる第１のはみ出し紐部位を形成し、
第２の外出し紐部位に第２の仮結び目を形成し、この第２の仮結び目から外に延びた部位で該第２の仮結び目が第２の結び収納孔に引き込まれても第２の結び目収納止め孔付き物品の外に出て、指で摘み掴めるはみ出し紐となる第２のはみ出し紐部位を形成してなることを特徴とする請求項１記載の携帯ストラップである。
＜請求項３記載の発明＞
紐の他方の側に第２の結び目が形成され、この第２の結び目および第２の結び目から出た端くれ部位がある場合は該端くれ部位を含めて、その全部が第２の結び目収納孔に収納されてなり、あるいは外に出されているが全部収納の可能とされてなることを特徴とする請求項１記載の携帯ストラップである。
＜請求項４記載の発明＞
第１の外出し紐部位と第２の外出し紐部位の端方が結び繋がれて提供されることを特徴とする請求項１記載の携帯ストラップである。
＜請求項５記載の発明＞
第１の結び目収納止め孔付き物品に変えて、紐の一方の側に第１の結び目収納孔および第１の結び目止め孔を有さない、潜らせループを潜る第１の結び目収納止め孔付き物品よりも小さく軽い固定物品が設けられてなることを特徴とする請求項１記載の携帯ストラップである。
＜請求項６記載の発明＞
第２の外出し紐部位に第２の仮結び目を形成し、この第２の仮結び目から外に延びた部位で該第２の仮結び目が第２の結び収納孔に引き込まれても第２の結び目収納止め孔付き物品の外に出て、指で摘み掴めるはみ出し紐となる第２のはみ出し紐部位を形成してなることを特徴とする請求項５記載の携帯ストラップである。
＜請求項７記載の発明＞
第２の結び目収納止め孔付き物品が設けられず、固定物品と紐からなり、かつ、前記紐は結び目を設けない他方の側が解放されたストレート形態とされ、添付された、複数から選択できるあるいは手持ちの第２の結び目収納止め孔付き物品の、第２の結び目止め孔から前記紐の前記他方の側を入れ第２の結び収納孔から外に出して外出し紐部位を形成し、この外出し紐部位に好みの紐長さとする第２の結び目を形成し、外に延びた余分な部位を切り除いて、前記第２の結び目を前記第２の結び収納孔に引き入れ収納することによって、前記固定物品、前記紐および前記第２の結び目収納止め孔付き物品を連結可能ないし繋ぎ可能とした請求項５記載の携帯ストラップである。
＜請求項８記載の発明＞
第２の結び目収納止め孔付き物品が紐に設けられず、前記紐の他方の側が解放されたストレート形態とされ、
前記紐の一方の側に第１の結び目が形成され、この第１の結び目およびその端くれ部分の全部が第1の結び目収納孔に収納され、
添付された、複数から選択できるあるいは手持ちの第２の結び目収納止め孔付き物品の、第２の結び目止め孔から前記紐の前記他方の側を入れ第２の結び収納孔から外に出して外出し紐部位を形成し、この外出し紐部位に好みの紐長さとする第２の結び目を形成し、外に延びた余分な部位を切り除いて、前記第２の結び目を前記第２の結び収納孔に引き入れ収納することによって、前記固定物品、前記紐および前記第２の結び目収納止め孔付き物品を連結可能ないし繋ぎ可能とした請求項５記載の携帯ストラップである。
＜請求項９記載の発明＞
第1の結び目収納止め孔付き物品と、第２の結び目収納止め孔付き物品と、紐とが連結ないし繋がれない分離された状態で包装容器に収納され、前記包装容器から前記第1の結び目収納止め孔付き物品、前記第２の結び目収納止め孔付き物品および前記紐を取り出して、
前記第１の結び目収納止め孔付き物品の、第１の結び目止め孔から前記紐の前記一方の側を入れ第１の結び収納孔から外に出して第１の外出し紐部位を形成し、この第１の外出し紐部位に好みの紐長さとする第１の結び目を形成し、外に延びた余分な部位を切り除いて、前記第１の結び目を前記第１の結び収納孔に引き入れ収納し、
前記第２の結び目収納止め孔付き物品の、第２の結び目止め孔から前記紐の前記他方の側を入れ第２の結び収納孔から外に出して第２の外出し紐部位を形成し、この第２の外出し紐部位に好みの紐長さとする第２の結び目を形成し、外に延びた余分な部位を切り除いて、前記第２の結び目を前記第２の結び収納孔に引き入れ収納して、前記第１の結び目収納止め孔付き物品と前記第２の結び目収納止め孔付き物品を、好みの長さに調節した前記紐で連結ないし繋ぐことを可能としたことを特徴とする請求項１記載の携帯ストラップである。
＜請求項１０記載の発明＞
多数のカプセル形態包装容器を収納する収納ケース、この収納ケース内の前記カプセル形態包装容器の一個を外に取り出すための取り出し口ないし外に吐き出すための吐き出し口、前記収納ケース内の前記カプセル形態包装容器の一個を、ボタンやレバーを摘みを回す、ボタンを押す、カードを該カードを検知する検知手段にかざす、ボタンを押し込むあるいはボタンを引っ張るなどの操作によって、前記取り出し口ないし吐き出し口に出すための取り出し操作手段とからなる自動販売装置ないし景品取り出し装置の前記カプセル形態包装容器に、携帯ストラップが収納された形態で提供されることを特徴とする請求項１〜９のいずれか１項に記載の携帯ストラップである。
【発明の効果】
【０００８】
以上の説明から明らかなように、本発明にあっては次に列挙する効果が得られる。
＜請求項１記載の発明の効果＞
携帯品の紐通し取付け孔に、二本である折り合わせ形態で通し抜けさせて、抜けた部位を広げて潜らせループを形成できる太さの非ループで一本形態の紐と、
第1の結び目収納止め孔付き物品本体、この第1の結び目収納止め孔付き物品本体に設けられた前記紐の一方の側に形成した第1の結び目が収納される第1の結び目収納孔、前記第1の結び目収納止め孔付き物品本体に設けられた前記第1の結び目収納孔に連絡された前記紐は通るが前記第1の結び目は通らない第1の結び目止め孔とからなる第1の結び目収納止め孔付き物品と、
第２の結び目収納止め孔付き物品本体、この第２の結び目収納止め孔付き物品本体に設けられた前記紐の他方の側に形成した第２の結び目が収納される第２の結び目収納孔、前記第２の結び目収納止め孔付き物品本体に設けられた前記第２の結び目収納孔に連絡された前記紐は通るが前記第２の結び目は通らない第２の結び目止め孔とからなる第２の結び目収納止め孔付き物品と、
前記紐の一方の側が前記第1の結び目止め孔から前記第1の結び目収納孔に通されて該第1の結び目収納孔の外に出されてなる第１の外出し紐部位と、
前記紐の他方の側が前記第２の結び目止め孔から前記第２の結び目収納孔に通されて該第２の結び目収納孔の外に出されてなる第２の外出し紐部位とからなるとともに、
前記第１の外出し紐部位で前記第1の結び目を好みの位置に形成して前記第１の結び目収納孔に引き込み収納し、前記第２の外出し紐部位で前記第２の結び目を好みの位置に形成して前記第２の結び目収納孔に引き込み収納し、前記第１の結び目収納止め孔付き物品と前記第２の結び目収納止め孔付き物品を繋ぐ前記紐の長さを好みの長さにできることを可能とした携帯ストラップであるので、次に述べるような効果を奏する。
すなわち、
（１）第１の外出し紐部位、第２の外出し紐部位に結び目が無い、ないし第１の外出し紐部位、第２の外出し紐部位の端同士が結ばれていない場合は、第１の外出し紐部位、第２の外出し紐部位に結び目を形成し、ないし第１の外出し紐部位、第２の外出し紐部位の端同士を結んだ、第１の結び目収納止め孔付き物品および第２の結び目収納止め孔付き物品が紐から外れない状態にして、
紐を二本である折り合わせ形態にして、携帯品の紐通し取付け孔に通し抜けさせて、抜けた部位を広げて潜らせループを形成し、
この潜らせループに第1の結び目収納止め孔付き物品および第２の結び目収納止め孔付き物品にあるいはいずれか一方を潜らせ、紐を引いて潜らせループを締め、携帯品への紐取り付け状態にし、
第１の外出し紐部位に第1の結び目収納止め孔付き物品側の紐が好みの長さとなる位置に第１の結び目を形成し余った紐を切り除き、
第２の外出し紐部位に第２の結び目収納止め孔付き物品紐が好みの長さとなる位置に第２の結び目を形成して余った紐を切り除き、
第１の結び目を第１の結び目収納孔に引き入れ収納隠し、
第２の結び目を第２の結び目収納孔に引き入れ収納隠し、
以上によって、第1の結び目収納止め孔付き物品および第２の結び目収納止め孔付き物品を吊る、それぞれの紐の長さを好みの長さに形成して、かつ、結び目が見えない形態の携帯ストラップを形成することができるという効果を奏する。
（２）あるいは、第1の結び目収納止め孔付き物品および第２の結び目収納止め孔付き物品を紐から外し、紐を二本である折り合わせ形態にして、携帯品の紐通し取付け孔に通し抜けさせて、抜けた部位を広げて潜らせループを形成し、この潜らせループに紐の両側を潜らせ引いて該潜らせループを締めて紐取り付け状態にとし、
前記紐の一方の側を前記第１の結び目収納止め孔付き物品の、第１の結び目止め孔から前記紐の前記一方の側を入れ第１の結び収納孔から外に出して第１の外出し紐部位を形成し、この第１の外出し紐部位に好みの紐長さとする第１の結び目を形成し、外に延びた余分な部位を切り除いて、前記第１の結び目を前記第１の結び収納孔に引き入れ収納し見えなくし、
前記紐の他方の側を前記第２の結び目収納止め孔付き物品の、第２の結び目止め孔から前記紐の前記他方の側を入れ第２の結び収納孔から外に出して第２の外出し紐部位を形成し、この第２の外出し紐部位に好みの紐長さとする第２の結び目を形成し、外に延びた余分な部位を切り除いて、前記第２の結び目を前記第２の結び収納孔に引き入れ収納し見えなくして、前記第１の結び目収納止め孔付き物品と前記第２の結び目収納止め孔付き物品を前記紐で連結ないし繋いでなる携帯ストラップを形成することができるという効果を奏する。
（３）前記（１）あるいは（２）によって、余った紐が長い場合には、使用者の手持ちの他の第1の結び目収納止め孔付き物品および第２の結び目収納止め孔付き物品を連結ないし繋いで携帯ストラップを形成できるし、紐が切れたりした場合の交換、ストラップ再形成用の予備紐にできるという効果を奏する。
（４）紐をいくらでも長くした形態で提供することが可能であり（２０ｃｍ以上、あるいは２０ｃｍ〜５０ｃｍ程度がよい）することによって、バックなどの取手や肩紐に数回か巻き付けたり、一回縛りを行ったりして第1の結び目収納止め孔付き物品および第２の結び目収納止め孔付き物品を携帯電話以外の携帯品にも、それぞれの吊り長さを好みにして取り付けられるという効果を奏する。
また、携帯電話のストラップとした場合、余分な余り紐がでるので、その余り紐で結び目収納止め孔付き物品の交換や、新たな組み合わせによる携帯ストラップを形成して楽しむことができるという効果を奏する。
（５）また、第２の結び目収納止め孔付き物品を紐から外して、手持ちの他の第２の結び目収納止め孔付き物品を取り付けた携帯ストラップを形成できるという効果を奏する。
（６）第1の結び目収納止め孔付き物品および第２の結び目収納止め孔付き物品は、使用しなくなった場合でも捨てないで取って置き、紐から外し、その紐による他の結び目収納止め孔付き物品との組み合わせによる新たな携帯ストラップの形成を行うことが自在にできるという効果を奏する。
（７）また、手持ちの第３、第４の結び目収納止め孔付き物品がある場合は、それらを加えた、第１〜第４の結び目収納止め孔付き物品を連結してなる携帯ストラップを、爪切り・鋏など紐切り除き道具だけで、簡単・容易・素早く形成することができるという効果を奏する。（例えば図４参照）
（８）第１の結び目収納止め孔付き物品および第２の結び目収納止め孔付き物品のいずれからも外出し紐部位が外に出ているので、好み応じていずれの側にも手持ちなどの他の結び目収納止め孔付き物品を追加連結した形態を実現できるという効果を奏する。
＜請求項２記載の発明の効果＞
第１の外出し紐部位に第１の仮結び目を形成し、この第１の仮結び目から外に延びた部位で該第1の仮結び目が第１の結び収納孔に引き込まれても第1の結び目収納止め孔付き物品の外に出て、指で摘み掴めるはみ出し紐となる第１のはみ出し紐部位を形成し、
第２の外出し紐部位に第２の仮結び目を形成し、この第２の仮結び目から外に延びた部位で該第２の仮結び目が第２の結び収納孔に引き込まれても第２の結び目収納止め孔付き物品の外に出て、指で摘み掴めるはみ出し紐となる第２のはみ出し紐部位を形成してなることを特徴とする請求項１記載の携帯ストラップであるので、請求項１記載の発明と同様な効果を奏するとともに、次に述べるような効果を奏する。
すなわち、
第１の仮結び目および第２の仮結び目によって、紐から第1の結び目収納止め孔付き物品および第２の結び目収納止め孔付き物品が外れることが無いので、携帯品の紐通し取付け孔への紐の取り付け作業が行いやすく、かつ、第１の仮結び目、第２の仮結び目が第１の結び収納孔、第２の結び収納孔に引き込まれても、第１のはみ出し紐部位、第２のはみ出し紐部位は外に出ているので、該第１のはみ出し紐部位、第２のはみ出し紐部位を摘み掴んで第１の仮結び目、第２の仮結び目を外に引出し、好みの紐長さとする新たな第１の結び目および第２の結び目あるいは一方の結び目を形成（この場合、他方の仮結び目はそのまま結び目として利用する。）して、携帯ストラップを形成できるという効果を奏する。
＜請求項３記載の発明の効果＞
紐の他方の側に第２の結び目が形成され、この第２の結び目および第２の結び目から出た端くれ部位がある場合は該端くれ部位を含めて、その全部が第２の結び目収納孔に収納されてなり、あるいは外に出されているが全部収納の可能とされてなることを特徴とする請求項１記載の携帯ストラップであるので、請求項１記載の発明と同様な効果を奏するとともに、次に述べるような効果を奏する。
すなわち、
紐の他方の側に第２の結び目が形成され、この第２の結び目および第２の結び目から出た端くれ部位がある場合は該端くれ部位を含めて、その全部が第２の結び目収納孔に収納されてなる構成であるので、好みの紐の長さとする調節を第１の外出し紐部位でのみ行うことで実現できるという効果を奏する。
＜請求項４記載の発明の効果＞
第１の外出し紐部位と第２の外出し紐部位の端方が結び繋がれて提供されることを特徴とする請求項１記載の携帯ストラップであるので、請求項１記載の発明と同様な効果を奏するとともに、次に述べるような効果を奏する。
すなわち、
第1の結び目収納止め孔付き物品および第２の結び目収納止め孔付き物品が紐から外れる心配なく、第1の結び目収納止め孔付き物品および第２の結び目収納止め孔付き物品を、潜らせループに潜らせる作業が行え、結び繋がれている部位を切り離し、第１の結び目、第２の結び目を形成して好みの紐の長さとした携帯ストラップを形成できるとう効果を奏する。
＜請求項５記載の発明の効果＞
第１の結び目収納止め孔付き物品に変えて、紐の一方の側に第１の結び目収納孔および第１の結び目止め孔を有さない、潜らせループを潜る第１の結び目収納止め孔付き物品よりも小さく軽い固定物品が設けられてなることを特徴とする請求項１記載の携帯ストラップであるので、請求項１記載の発明と同様な効果を奏するとともに、次に述べるような効果を奏する。
すなわち、
第２の結び目収納止め孔付き物品よりも小さく軽い固定物品を潜らせループに潜らせて、携帯品側にアクセント的形態で取り付け、前記固定物品から出た一本紐に第２の結び目収納止め孔付き物品が吊り下がる形態を、紐を好みの長さに調節して実現できるという効果を奏する。
＜請求項６記載の発明の効果＞
第２の外出し紐部位に第２の仮結び目を形成し、この第２の仮結び目から外に延びた部位で該第２の仮結び目が第２の結び収納孔に引き込まれても第２の結び目収納止め孔付き物品の外に出て、指で摘み掴めるはみ出し紐となる第２のはみ出し紐部位を形成してなることを特徴とする請求項５記載の携帯ストラップであるので、請求項５記載の発明と同様な効果を奏するとともに、次に述べるような効果を奏する。
すなわち、
第２の仮結び目を形成されているので、携帯品への固定物品の取り付け作業が、第２の結び目収納止め孔付き物品が外れる心配なく行えるという効果を奏する。
＜請求項７記載の発明の効果＞
第２の結び目収納止め孔付き物品が設けられず、固定物品と紐からなり、かつ、前記紐は結び目を設けない他方の側が解放されたストレート形態とされ、添付された、複数から選択できるあるいは手持ちの第２の結び目収納止め孔付き物品の、第２の結び目止め孔から前記紐の前記他方の側を入れ第２の結び収納孔から外に出して外出し紐部位を形成し、この外出し紐部位に好みの紐長さとする第２の結び目を形成し、外に延びた余分な部位を切り除いて、前記第２の結び目を前記第２の結び収納孔に引き入れ収納することによって、前記固定物品、前記紐および前記第２の結び目収納止め孔付き物品を連結可能ないし繋ぎ可能とした請求項５記載の携帯ストラップであるので、請求項５記載の発明と同様な効果を奏するとともに、次に述べるような効果を奏する。
すなわち、
複数の第２の結び目収納止め孔付き物品の中から好みの第２の結び目収納止め孔付き物品を選択して、好みの紐の長さに調節した携帯ストラップを実現できるという効果を奏する。
＜請求項８記載の発明の効果＞
第２の結び目収納止め孔付き物品が紐に設けられず、前記紐の他方の側が解放されたストレート形態とされ、
前記紐の一方の側に第１の結び目が形成され、この第１の結び目およびその端くれ部分の全部が第1の結び目収納孔に収納され、
添付された、複数から選択できるあるいは手持ちの第２の結び目収納止め孔付き物品の、第２の結び目止め孔から前記紐の前記他方の側を入れ第２の結び収納孔から外に出して外出し紐部位を形成し、この外出し紐部位に好みの紐長さとする第２の結び目を形成し、外に延びた余分な部位を切り除いて、前記第２の結び目を前記第２の結び収納孔に引き入れ収納することによって、第1の結び目収納止め孔付き物品、前記紐および前記第２の結び目収納止め孔付き物品を連結可能ないし繋ぎ可能とした請求項１記載の携帯ストラップであるので、請求項１記載の発明と同様な効果を奏するとともに、次に述べるような効果を奏する。
すなわち、
複数の第２の結び目収納止め孔付き物品の中から好みの第２の結び目収納止め孔付き物品を選択して、好みの紐の長さに調節した携帯ストラップを実現できるという効果を奏する。
＜請求項９記載の発明の効果＞
第1の結び目収納止め孔付き物品と、第２の結び目収納止め孔付き物品と、紐とが連結ないし繋がれない分離された状態で包装容器に収納され、前記包装容器から前記第1の結び目収納止め孔付き物品、前記第２の結び目収納止め孔付き物品および前記紐を取り出して、
前記第１の結び目収納止め孔付き物品の、第１の結び目止め孔から前記紐の前記一方の側を入れ第１の結び収納孔から外に出して第１の外出し紐部位を形成し、この第１の外出し紐部位に好みの紐長さとする第１の結び目を形成し、外に延びた余分な部位を切り除いて、前記第１の結び目を前記第１の結び収納孔に引き入れ収納し、
前記第２の結び目収納止め孔付き物品の、第２の結び目止め孔から前記紐の前記他方の側を入れ第２の結び収納孔から外に出して第２の外出し紐部位を形成し、この第２の外出し紐部位に好みの紐長さとする第２の結び目を形成し、外に延びた余分な部位を切り除いて、前記第２の結び目を前記第２の結び収納孔に引き入れ収納して、前記第１の結び目収納止め孔付き物品と前記第２の結び目収納止め孔付き物品を、好みの長さに調節した前記紐で連結ないし繋ぐことを可能としたことを特徴とする請求項１記載の携帯ストラップであるので、このような構成しても、請求項１記載の発明と同様な効果を奏する。
また、種類の異なる複数の第1の結び目収納止め孔付き物品および種類の異なる複数の第２の結び目収納止め孔付き物品を、紐とともに包装容器に収納する形態とすることによって、第1の結び目収納止め孔付き物品と第1の結び目収納止め孔付き物品の連結形態、第1の結び目収納止め孔付き物品と第２の結び目収納止め孔付き物品の連結形態、第２の結び目収納止め孔付き物品と第２の結び目収納止め孔付き物品の連結形態の携帯ストラップを、その種類の多さだけ多様な組み合わせで楽しむことができるという効果を奏する。
＜請求項１０記載の発明の効果＞
多数のカプセル形態包装容器を収納する収納ケース、この収納ケース内の前記カプセル形態包装容器の一個を外に取り出すための取り出し口ないし外に吐き出すための吐き出し口、前記収納ケース内の前記カプセル形態包装容器の一個を、ボタンやレバーを摘みを回す、ボタンを押す、カードを該カードを検知する検知手段にかざす、ボタンを押し込むあるいはボタンを引っ張るなどの操作によって、前記取り出し口ないし吐き出し口に出すための取り出し操作手段とからなる自動販売装置ないし景品取り出し装置の前記カプセル形態包装容器に、携帯ストラップが収納された形態で提供されることを特徴とする請求項１〜９のいずれか１項に記載の携帯ストラップであるので、
カプセル形態包装容器の中の、紐に結び目収納止め孔付き物品を取り付けて誰でも簡単に好みの紐の長さの携帯ストラップを作成することができる。また、手持ちの結び目収納止め孔付き物品と組み合わせた好みの紐の長さとした携帯ストラップも簡単に作成することができる。当然に紐を付けない従来の使用も可能である。
また、結び目止め孔はヒートン（環の下部がビスとなっている部材）のビス部分の誘い込孔となるので、ヒートンのねじ込み取り付けが弱い指の力でも容易にできるという効果を奏する。
【図面の簡単な説明】
【０００９】
【図１】本発明の実施例１を示す断面図。
【図２】本発明の実施例１の他の形態を示す断面図。
【図３】本発明の実施例１の作成操作図。
【図４】本発明の実施例１の他の作成操作図。
【図５】本発明の実施例１の他の形態を示す断面図。
【図６】本発明の実施例２を示す断面図。
【図７】本発明の実施例３を示す断面図。
【図８】本発明の実施例３の作成操作図。
【図９】本発明の実施例４を示す包装状態図。
【図１０】本発明の実施例４の作成操作図。
【図１１】本発明の実施例４の他の作成操作図
【発明を実施するための形態】
【００１０】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】
図１ないし図５に示す本発明の実施例１において、携帯ストラップ１は次に述べるような構成となっている。
携帯品２の紐通し取付け孔３に、二本である折り合わせ形態で通し抜けさせて、抜けた部位を広げて潜らせループ４を形成できる太さの非ループで一本形態の紐５と、
結び目収納止め孔付き物品本体６、この結び目収納止め孔付き物品本体６に設けられた紐５の一方の側に形成した結び目７が収納される結び目収納孔８、結び目収納止め孔付き物品本体６に設けられた結び目収納孔８に連絡された紐５が一本のみ通るが結び目７は通らない結び目止め孔９とからなる結び目収納止め孔付き物品１０と、
結び目収納止め孔付き物品本体１１、この結び目収納止め孔付き物品本体１１に設けられた紐５の他方の側に形成した結び目１２が収納される結び目収納孔１３、結び目収納止め孔付き物品本体１１に設けられた結び目収納孔１３に連絡された紐５が一本のみ通るが結び目１２は通らない結び目止め孔１４とからなる結び目収納止め孔付き物品１５と、
紐５の一方の側が結び目止め孔９から結び目収納孔８に通されて該結び目収納孔８の外に出されてなる外出し紐部位１６と、
紐５の他方の側が結び目止め孔１４から結び目収納孔１３に通されて該結び目収納孔１３の外に出されてなる外出し紐部位１７とからなるとともに、
外出し紐部位１６で結び目７を好みの位置に形成して結び目収納孔８に引き込み収納し、外出し紐部位１７で結び目１２を好みの位置に形成して結び目収納孔１３に引き込み収納し、結び目収納止め孔付き物品１０と結び目収納止め孔付き物品１５を繋ぐ紐５の長さを好みの長さにできることを可能としている。
【００１２】
図１のように、外出し紐部位６に仮結び目２０を形成し、この仮結び目２０から外に延びた部位で該仮結び目２０が結び収納孔８内に引き込まれても結び目収納止め孔付き物品１０の外に出て、指で摘み掴めるはみ出し紐となるはみ出し紐部位２１を形成し、
外出し紐部位１７に仮結び目２２を形成し、この仮結び目２２から外に延びた部位で該仮結び目２２が結び収納孔１３内に引き込まれても結び目収納止め孔付き物品１５の外に出て、指で摘み掴めるはみ出し紐となるはみ出し紐部位２３を形成するのがよい。
仮結び目２０および仮結び目２２によって、紐５から結び目収納止め孔付き物品１０および結び目収納止め孔付き物品１５が外れることが無いので、携帯品２の紐通し取付け孔３への紐５の、折り合わせ形態で通し潜らせループ４を形成して結び目収納止め孔付き物品１０および結び目収納止め孔付き物品１５を該潜らせループ４に潜らせる取り付け作業が行いやすく、かつ、仮結び目２０、仮結び目２２が結び収納孔８、結び収納孔１２内に引き込まれても、はみ出し紐部位２１、はみ出し紐部位２３は外に出ているので、該はみ出し紐部位２１、はみ出し紐部位２３を指で摘み掴んで仮結び目２０、仮結び目２２を外に引出し、好みの紐長さとする新たな結び目７、結び目１２を形成して、余分な紐部位を鋏や爪切りなどで切り除いて、結び目７、結び目１２を結び収納孔８、結び収納孔１２内に引き込み収納することで、好みの紐５の長さとした携帯ストラップを形成できる。（図２）
【００１３】
（１）外出し紐部位１６、外出し紐部位１７に結び目が無い、ないし外出し紐部位１６、外出し紐部位１７の端同士が結ばれていない場合は、外出し紐部位１６、外出し紐部位１７に結び目を形成し、ないし外出し紐部位１６、外出し紐部位１７の端同士を結んだ、結び目収納止め孔付き物品１０および結び目収納止め孔付き物品１５が紐５から外れない状態にして、
紐５を二本である折り合わせ形態にして、携帯品１の紐通し取付け孔３に通し抜けさせて、抜けた部位を広げて潜らせループ４を形成し、
この潜らせループ４に結び目収納止め孔付き物品１０および結び目収納止め孔付き物品１５にあるいはいずれか一方を潜らせ、紐５を引いて潜らせループ４を締めて携帯品２への紐５取り付け状態にとし、
外出し紐部位１６に結び目収納止め孔付き物品１０側の紐５が好みの長さとなる位置に結び目７を形成し余った紐部位を切り除き、
外出し紐部位１７に結び目収納止め孔付き物品１５紐５が好みの長さとなる位置に結び目１２を形成して余った紐部位を切り除き、
結び目７を結び目収納孔に引き入れ収納隠し、
結び目１２を結び目収納孔に引き入れ収納隠し、
以上によって、結び目収納止め孔付き物品１０および結び目収納止め孔付き物品１５を吊るそれぞれの紐５の長さを好みの長さに形成してなる携帯ストラップを形成することができる。
（２）あるいは、結び目収納止め孔付き物品１０および結び目収納止め孔付き物品１５を紐５から外し、紐５を二本である折り合わせ形態にして、携帯品１の紐通し取付け孔３に通し抜けさせて、抜けた部位を広げて潜らせループ４を形成し、この潜らせループ４に紐５の両端側から潜らせ引いて該潜らせループ４を締めて、携帯品２への紐５取り付け状態にし、
紐５の一方の側を結び目収納止め孔付き物品１０の、結び目止め孔９から紐５の前記一方の側を入れ結び収納孔８から外に出して外出し紐部位１６を形成し、この外出し紐部位１６に好みの紐５の長さとする結び目７を形成し、外に延びた余分な部位を切り除いて、結び目７を結び収納孔８に引き入れ収納し、
紐５の他方の側を結び目収納止め孔付き物品１５の、結び目止め孔１４から紐５の他方の側を入れ結び収納孔１３から外に出して外出し紐部位１７を形成し、この外出し紐部位１７に好みの紐５の長さとする結び目１２を形成し、外に延びた余分な部位を切り除いて、結び目１２を結び収納孔１３に引き入れ収納して、結び目収納止め孔付き物品１０と結び目収納止め孔付き物品１５を紐５で連結ないし繋いでなる携帯ストラップを形成することができる。
（３）前記（１）あるいは（２）によって、余った紐５が長い場合には、使用者の手持ちの他の結び目収納止め孔付き物品１０および結び目収納止め孔付き物品１５を連結ないし繋いで携帯ストラップを形成できるし、紐が切れたりした場合の交換、ストラップ再形成用の予備紐となる。
（４）紐５をいくらでも長くした形態で提供することが可能であり（２０ｃｍ以上、好ましくは２０ｃｍ〜５０ｃｍ程度がよい）することによって、バックなどの取手や肩紐５に数回か巻き付けたり、一回縛りを行ったりして結び目収納止め孔付き物品１０および結び目収納止め孔付き物品１５を携帯電話以外の携帯品１にも、それぞれの吊り長さを好みにして取り付けられる。
また、携帯電話のストラップとした場合、余分な余り紐がでるので、その余り紐で結び目収納止め孔付き物品の交換や、新たな組み合わせによる携帯ストラップを形成して楽しむことができる。
（５）また、結び目収納止め孔付き物品１５を紐５から外して、手持ちの他の結び目収納止め孔付き物品１５を取り付けた携帯ストラップを形成できる。
（６）結び目収納止め孔付き物品１０および結び目収納止め孔付き物品１５は、使用しなくなった場合でも捨てないで取って置き、紐５から外し、その紐５による他の結び目収納止め孔付き物品との組み合わせによる新たな携帯ストラップの形成を行うことが自在にできる。
（７）また、手持ちの結び目収納止め孔付き物品２５、結び目収納止め孔付き物品２６がある場合は、それらを加え好みの位置に結び目３０と結び目３１を形成して、第１〜結び目収納止め孔付き物品を連結してなる携帯ストラップを形成することができる。（例えば図４参照）
（８）結び目収納止め孔付き物品１０および結び目収納止め孔付き物品１５のいずれからも外出し紐部位が外に出ているので、好み応じていずれの側にも手持ちなどの他の結び目収納止め孔付き物品を追加連結した形態を実現できる。
【００１４】
また、外出し紐部位１６に仮結び目を形成２２し、この仮結び目２０から外に延びた部位で該仮結び目２０が結び収納孔８に引き込まれても結び目収納止め孔付き物品１０の外に出て、指で摘み掴めるはみ出し紐となるはみ出し紐部位２１を形成し、
外出し紐部位１７に仮結び目２２を形成し、この仮結び目２２から外に延びた部位で該仮結び目２２が結び収納孔１３に引き込まれても結び目収納止め孔付き物品１５の外に出て、指で摘み掴めるはみ出し紐となるはみ出し紐部位２３を形成してなる構成とするのもよい。
仮結び目２０および仮結び目２２によって、紐５から結び目収納止め孔付き物品１０および結び目収納止め孔付き物品１５が外れることが無いので、携帯品２の紐通し取付け孔への紐３の取り付け作業が行いやすく、かつ、仮結び目２０、仮結び目２２が結び収納孔８、結び収納孔１３に引き込まれても、はみ出し紐部位２７、はみ出し紐部位２８は外に出ているので、該はみ出し紐部位２７、はみ出し紐部位２８を摘み掴んで仮結び目２０、仮結び目２２を外に引出し、好みの紐長さとする新たな結び目７および結び目１２あるいはいずれか一方の結び目を形成して、携帯ストラップを形成できる
【００１５】
また、図５に示すように、紐５の両端を結び（結び目２９）、動かしても結び目収納止め孔付き物品１０および結び目収納止め孔付き物品１５が外れないようにしてあるものもよい。
携帯ストラップ形成の際は、結び目２９を切り除いて行う。
【実施例２】
【００１６】
図６に示す本発明の実施例２において、前記実施例１と主に異なる点は、紐５の他方の側に結び目１２を形成して、この結び目１２を結び目収納止め孔付き物品１５の結び目収納孔１３内に引き込み収納した、側面からは外からは見えない収納隠し形態としてなる携帯ストラップ３３を形成した点にある。
紐５の長さ調節は結び目収納止め孔付き物品１０側のはみ出し紐部位２１を引いて仮結び目２０を引出て、引き出された紐の好みの位置に結び目７を形成して、
余分な部位を切り除いて、仮結び目７を結び目収納孔８に引き込み行う。
【実施例３】
【００１７】
図７、図８に示す本発明の実施例３において、前記実施例１と主に異なる点は、結び目収納止め孔付き物品１５に変えて、紐５の一方の側に結び目収納孔および結び目止め孔を有さない、潜らせループ４を潜る結び目収納止め孔付き物品よりも小さく軽い固定物品３５が設けられてなる携帯ストラップ３４を形成した点にある。
【実施例４】
【００１８】
図９、図１０、図１１に示す本発明の実施例４において、前記実施例１と主に異なる点は、
一方の側面から他方側面に貫通された結び目収納孔８が形成され、この結び目収納孔８に裏面から連絡された結び目止め孔９が形成された、結び目収納止め孔付き物品３６、３７、３８、３９、４０、４１、
頭部頂上側から下後ろ側向きで結び目止め孔１４が形成され、この結び目止め孔１４に頭部後ろ下側から直線的に連絡する形態で結び目収納孔１３が形成された動物形形態の結び目収納止め孔付き物品４２、４３、４４、４５、
これら、結び目収納止め孔付き物品３６〜４５と紐５とが連結ないし繋がれない分離された状態で包装容器４６に収納されてなる携帯ストラップ４７を形成した点にある。
また、結び目収納止め孔付き物品３６〜４５のいずれかあるいは複数が、あらかじめ紐５に繋がれ、連結ないし単に紐５が通された形態としてあるものもよい。
結び目収納止め孔付き物品３６、３７、３８、３９、４０、４１は結び目収納止め孔付き物品４２、４３、４４、４５より、小さく軽い部材である。
【００１９】
多様な形態の携帯ストラップを作り使用することができる。
例えば、結び目収納止め孔付き物品４０と結び目収納止め孔付き物品４５および紐５を選んで、
結び目収納止め孔付き物品４０の、結び目止め孔９から紐５の一方の側を入れ結び収納孔８から外に出して外出し紐部位１６を形成し、この外出し紐部位１６に好みの紐長さとする結び目７を形成し、外に延びた余分な部位を切り除いて、結び目７を結び収納孔８に引き入れ収納し、
結び目収納止め孔付き物品４５の、結び目止め孔１４から紐５の他方の側を入れ結び収納孔１３から外に出して外出し紐部位１７を形成し、この外出し紐部位１７に好みの紐長さとする結び目１２を形成し、外に延びた余分な部位を切り除いて、結び目１２を結び収納孔１３に引き入れ収納して、結び目収納止め孔付き物品４０と結び目収納止め孔付き物品４５を、好みの長さに調節した紐５で連結ないし繋いでなる、好みの紐長さの携帯ストラップ４８を形成する。
携帯品２に取り付ける前に携帯ストラップ４８を形成しておいて、潜らせループ４（図８参照）を形成しての取り付けを行う。
【００２０】
また、図１０のように、紐通し取付け孔３に紐５を非ループの一本紐形態で通しておいて、前段落記載のように結び目収納止め孔付き物品４０と結び目収納止め孔付き物品４５を連結ないし繋いで、携帯品２に取り付けられた状態の携帯ストラップ４８を形成する。
また、結び目収納止め孔付き物品３６、３７、３８、３９、４０、４１のいずれかの２個を紐５で連結した形態の携帯ストラップ、結び目収納止め孔付き物品４２、４３、４４、４５のいずれかの２個と紐５を連結した形態の携帯ストラップ、図１１のように、結び目収納止め孔付き物品４２、４３、４４、４５を紐５に通しながら結び目５０、５１、５２を形成して余分な部位を切り除いて連結した形態の携帯ストラップなど種類の組み合わせによって多様なストラップを形成することができる。
【実施例５】
【００２１】
図１２に示す本発明の実施例５において、前記実施例４と主なる点は、包装容器を、下部を開口してなる上容器５９と上部を開口してなる下容器６９を嵌合部５５で着脱自在形態で嵌合して包装容器体を形成してなるカプセル形態包装容器５６とした点にある。
さらに、小型の爪切り形態の紐切断具５７を収納し、結び目収納止め孔付き物品４５のクマの顔を小さくした形態で、結び目収納止め孔付き物品４５よりも小さく軽い部材からなり、結び目収納孔８と結び目止め孔９を有する結び目収納止め孔付き物品５８を収納している。
上容器５９と下容器６９を嵌合（ねじ螺号式を含む）としないで、単に開口同士を合わせた状態にして、その状態を粘着テープで固定するというような他の方法でもよい。また、容器に単に上蓋、側部蓋あるいは下蓋をしたものなど、多様な容器形態が考えられる。
カプセル形態包装容器５６の代表的なものとして、おもちゃを入れた透明ないし不透明なカプセル形態（以下「カプセル入りおもちゃ」ないし「カプセル形態包装容器」という）のものが知られており、特に、フィギュアと呼ばれる人形、消しゴムなどの多様な物品をいれた透明なカプセル（カプセル形態包装容器５６）が知られている（透明でないものもある。）。
前記カプセル入りおもちゃは、多数の該カプセル入りおもちゃ（例えば、「ガチャ缶」（登録商標））を収納ケースに収納して、コインを入れて、ボタンやレバーを摘み回して、ボタンにタッチないし押す、カードをかざして該カードを検出する検出手段によって検出する、ボタンを押してあるいはボタンを引いて取り出し口ないし吐き出し口に収納ケース内のカプセル入りおもちゃが一個出されて、それを手に入れるという、例えば「ガチャ」（登録商標  指定標品：カプセル入りおもちゃの自動販売機）で販売されるものが代表的なものとして知られている。また、景品としてコインを入れないで取り出すものも知られている。
【産業上の利用可能性】
【００２２】
本発明は、携帯ストラップを製造あるいは販売する産業で利用される。
【符号の説明】
【００２３】
１：携帯ストラップ、
２：携帯品、
３：紐通し取付け孔、
４：潜らせループ、
５：紐、
６：結び目収納止め孔付き物品本体、
７：結び目、
８：結び目収納孔、
９：結び目止め孔、
１０：結び目収納止め孔付き物品、
１１：結び目収納止め孔付き物品本体、
１２：結び目、
１３：結び目収納孔、
１４：結び目止め孔、
１５：結び目収納止め孔付き物品、
１６：外出し紐部位、
１７：外出し紐部位、
２０：仮結び目、
２１：はみ出し紐部位、
２２：仮結び目、
２３：はみ出し紐部位、
２５：結び目収納止め孔付き物品、
２６：結び目収納止め孔付き物品、
２９：結び目、
３０：結び目、
３１：結び目、
３３：携帯ストラップ、
３４：携帯ストラップ、
３５：固定物品、
３６：結び目収納止め孔付き物品、
３７：結び目収納止め孔付き物品、
３８：結び目収納止め孔付き物品、
３９：結び目収納止め孔付き物品、
４０：結び目収納止め孔付き物品、
４１：結び目収納止め孔付き物品、
４３：携帯ストラップ、
４５：結び目収納止め孔付き物品、
４６：包装容器、
４７：携帯ストラップ、
４８：携帯ストラップ、
５０：結び目、
５１：結び目、
５２：結び目、
５３：結び目、
５５：嵌合部、
５６：カプセル形態包装容器、
５７：紐切断具、
５８：結び目収納止め孔付き物品、
５９：上容器、
６０：下容器。
【図１】
2014050613.tif 000003
【図２】
2014050613.tif 000004
【図３】
2014050613.tif 000005
【図４】
2014050613.tif 000006
【図５】
2014050613.tif 000007
【図６】
2014050613.tif 000008
【図７】
2014050613.tif 000009
【図８】
2014050613.tif 000010
【図９】
2014050613.tif 000011
【図１０】
2014050613.tif 000012
【図１１】
2014050613.tif 000013
【図１２】
2014050613.tif 000014
【手続補正書】
【提出日】平成24年10月18日(2012.10.18)
【手続補正１】
【補正対象書類名】明細書
【補正対象項目名】０００９
【補正方法】変更
【補正の内容】
【０００９】
【図１】本発明の実施例１を示す断面図。
【図２】本発明の実施例１の他の形態を示す断面図。
【図３】本発明の実施例１の作成操作図。
【図４】本発明の実施例１の他の作成操作図。
【図５】本発明の実施例１の他の形態を示す断面図。
【図６】本発明の実施例２を示す断面図。
【図７】本発明の実施例３を示す断面図。
【図８】本発明の実施例３の作成操作図。
【図９】本発明の実施例４を示す包装状態図。
【図１０】本発明の実施例４の作成操作図。
【図１１】本発明の実施例４の他の作成操作図。
【図１２】本発明の実施例５を示す斜視図。